(57)【要約】      （修正有）【課題】レンズが眼精保護の効果を備え、リム及びテンプルがマイナスイオンを放出し、使用者がメガネをかけると同時に眼精ケアの効果を備えるマイナスイオンメガネを提供する。【解決手段】マイナスイオンメガネは、主にリム、レンズ及びテンプルから構成される。レンズはリム内に嵌合する。テンプルはリムの両側後方に枢設する。レンズは基板を含み、基板はメタクリル酸ポリマー材から生成し、基板にはマイナスイオン材を含有する。基板上で内から外向きの順に抗ＵＶ層、抗ブルーライト層及び曇り防止層を設置する。リム及びテンプルは、樹脂材で製造し、樹脂材の中にマイナスイオン材を含有する。【選択図】図１
0003216680.tif 000002
【実用新案登録請求の範囲】
【請求項１】
主にリム、レンズ及びテンプルから構成されたマイナスイオンメガネにおいて、
該レンズは該リム内に嵌合し、該テンプルは該リムの両側後方に枢設し、そのうち該レンズは基板を含み、該基板はメタクリル酸ポリマー材から生成し、該基板にはマイナスイオン材を含有し、該基板上で内から外向きの順に抗UV層、抗ブルーライト層及び曇り防止層を設置し、該リム及び該テンプルは、樹脂材で製造し、該樹脂材の中にはマイナスイオン材を含有することを特徴とするマイナスイオンメガネ。
【請求項２】
主にリム、レンズ及びテンプルから構成されたマイナスイオンメガネにおいて、
該レンズは、該リム内に嵌合し、該テンプルは該リムの両側後方に枢設し、そのうち該レンズは基板を含み、該基板はメタクリル酸ポリマー材から生成し、該基板の表面にはマイナスイオン材を噴射してマイナスイオン層を形成し、更に該基板上で内から外向きの順に抗UV層、抗ブルーライト層及び曇り防止層を設置し、該リム及び該テンプルは樹脂材で製造し、該樹脂材の中にはマイナスイオン材を含有することを特徴とするマイナスイオンメガネ。
【考案の詳細な説明】
【技術分野】
【０００１】
本考案は、マイナスイオンメガネに関するもので、特にレンズが眼精保護の効果を備え、またリム及びテンプルからマイナスイオンが放出され、メガネを掛けると同時に眼精ケアの効果を備える。
【背景技術】
【０００２】
近年、電子通信機器の急速な発展により、誰もが電子通信機器を持つようになり、仕事または娯楽にも使用されており、各人は電子通信機器がなくてならないほどに使用が多くなっている。これら機器は有害な放射線(例としてブルーライト…)を発している。またブルーライトは可見光線の中で波長が短く含有エネルギーが高い可視光線である。均質でない誘電の中で光が最も散乱しやすく、目が像を作りづらくしてぼんやりしてしまうと同時に、高エネルギーを備えた光が目を極めて大きく傷つけ、網膜の?斑部に病気を発生しやすくなり、白内障、眼精疲労、グレア、視力低下等悪影響を与え、眼精疾病の発生率を高める。メガネ（例として近視メガネ、老眼鏡…等）をかけて矯正するのが眼精視力低下を治療する最も一般的な治療である。
【先行技術文献】
【特許文献】
【０００３】
【特許文献１】特開２００３−２３０６３４号公報
【考案の概要】
【考案が解決しようとする課題】
【０００４】
解決しようとする問題点は、一般メガネのレンズは単純な度数の調整だけで、抗紫外線、抗ブルーライト及び曇り止め等効果を備えない。拠ってメガネをかけている時間が長くなると、眼精疲労及び目の痛みや乾きの不適感が起こりやすくなる点である。
【課題を解決するための手段】
【０００５】
本考案は、主にリム、レンズ及びテンプルから構成される。該レンズは該リム内に嵌合する。該テンプルは該リムの両側後方に枢設する。そのうち該レンズは基板を含み、該基板はメタクリル酸ポリマー材から生成し、該基板にはマイナスイオン材を含有する。該基板上で内から外向きの順に抗UV層、抗ブルーライト層及び曇り防止層を設置する。該リム及び該テンプルは、樹脂材で製造し、該樹脂材の中にはマイナスイオン材を含有することを最も主要な特徴とする。
【考案の効果】
【０００６】
本考案のマイナスイオンメガネにおいて、該レンズは、紫外線及びブルーライトのフィルター効果が６０％以上に達し、紫外線及びブルーライト放射に依る目の障害から有効に防止する。更に眼精の痛みや腫れ、乾き、疲労等不適感を減らし、白内障及び?斑部病変の発生率を下げる。更につリム、レンズとテンプルはどちらもマイナスイオンを放出する。マイナスイオンは血液循環と新陳代謝を促進し、眼精疲労を癒やし、眼精周囲の酸素供給を向上させ、眼精疾病問題の改善と予防を助け、目をケアする効果を達成するという利点がある。
【図面の簡単な説明】
【０００７】
【図１】本考案の実施例の立体指示図である。
【図２】本考案の実施例のレンズの断面指示図である。
【図３】本考案の別の実施例レンズの断面指示図である。
【考案を実施するための形態】
【０００８】
公知のメガネに存在した欠点を解決するマイナスイオンメガネを提供することを本考案の目的とする。
【０００９】
本考案のマイナスイオンメガネ、主にリム、レンズ及びテンプルから構成され、該レンズは該リム内に嵌合する。該テンプルは該リムの両側後方に枢設する。そのうち該レンズは基板を含み、該基板はメタクリル酸ポリマー材から生成し、該基板にはマイナスイオン材を含有する。該基板上で内から外向きの順に抗UV層、抗ブルーライト層及び曇り防止層を設置し、該リム及び該テンプルは、樹脂材で製造し、該樹脂材の中にはマイナスイオン材を含有する。
【００１０】
本考案のマイナスイオンメガネ、主にリム、レンズ及びテンプルから構成され、該レンズは該リム内に嵌合する。該テンプルは該リムの両側後方に枢設する。そのうち該レンズは基板を含み、該基板はメタクリル酸ポリマー材から生成し、該基板の表面にはマイナスイオン材を噴射してマイナスイオン層を形成する。更に該基板上で内から外向きの順に抗UV層、抗ブルーライト層及び曇り防止層を設置し、該リム及び該テンプルは、樹脂材で製造し、該樹脂材の中にはマイナスイオン材を含有する。
【００１１】
本考案のマイナスイオンメガネの該リムと該テンプル内にマイナスイオン材を含む製作方法は、先ずマイナスイオン粉を研磨し、細緻なナノ級のマイナスイオン粉を取得する。次に該ナノ級のマイナスイオン粉を樹脂材の中に入れて混ぜ、均一な混合物を得る。そして混合物をオーブン内に入れ、分離剤を加えて焼き、該混合物を十分に融解させる。該十分に融解した混合物を冷卻成型設備内に入れて加工成型するとマイナスイオンを備えた該リム及び該テンプルとなる。
【実施例】
【００１２】
本考案は上述の使用目的と効果を達成するため、採用した技術手段であり、良好な実施例を挙げ、図式を示して以下に詳述する。
【００１３】
本考案の実施例は、図１、２、３に示すとおり、メガネ１は、主にリム１０、レンズ１１及びテンプル１２から構成される。該レンズ１１は該リム１０内に嵌合する。該テンプル１２は該リム１０の両側後方に枢設する。そのうち該レンズ１１は基板１１０を含み、該基板１１０はメタクリル酸ポリマー材から生成し、該基板１１０にはマイナスイオン材を含有するか、もしくは該基板１１０の外層にマイナスイオン材を噴射してマイナスイオン層１１５を形成する（例として図３参照）。更に該基板１１０上には内から外向きの順に抗UV層１１１、抗ブルーライト層１１２及び曇り防止層１１３を設置する。該抗ブルーライト層１１２は第一SiO２膜層、ZrO２膜層、In２O３膜層、Ti２O３膜層、第二SiO２膜層を設置する。製作時には真空蒸着、もしくはスパッタリングでターゲットをスパッタリング沈殿する方法を採用してもよく、コーティングの厚みは沈殿時間、熱蒸発温度及びスパッタリングパワー等パラメータ制御によって得る。該基板１１０の内側面及び該曇り防止層１１３の外側面にはそれぞれ反射防止層１１４を設置する。該リム１０及び該テンプル１２は、樹脂材で製造し、該樹脂材の中にはマイナスイオン材を含有し、該マイナスイオン材はナノ級電気石マイナスイオン粉であり、つまりマイナスイオンメガネとなる。
【００１４】
本考案の該リム１０と該テンプル１２の中にマイナスイオン材を含む製作方法は、先ずマイナスイオン粉を研磨し、細緻なナノ級のマイナスイオン粉を取得する。次に該ナノ級のマイナスイオン粉を樹脂材の中に入れて混ぜ、均一な混合物を得る。そして混合物をオーブン内に入れ、分離剤を加えて焼く。該分離剤は樹脂分離剤とし、該混合物を十分に融解させる。該十分に融解した混合物を冷卻成型設備内に入れて加工成型するとマイナスイオンを備えた該リム１０及び該テンプル１２となる。
【００１５】
本考案が示すマイナスイオン粉の化学成分表は以下のとおりである。
【００１６】
Al２O３の含有量は３５.１０%、SiO２の含有量は３４.８１%、B２O３の含有量は１１.０２%、MgOの含有量は４.７０、Fe２O３の含有量は１０.１８%、Na２Oの含有量は０.９１%、K２Oの含有量は０.０４%、CaOは微量、 P２O５の含有量は０.２２%、TiO２の含有量は０.２６%、FeOの含有量は１.３５%であり、その他は微量とする。
【００１７】
マイナスイオン粉の成分は、ホウ素を含むことを特徴とするアルミニウム、ナトリウム、鉄、ゲルマニウム、リチウム環状構造のケイ酸塩物質であり、類質同像発育する。その熱電性と圧電性が極性イオンを平衡位置で振動させて双極子モーメント変化を起こし、遠紅外線波段の電磁放射を発する。仮に一定の比例に基づいて製品（例として繊維）内に添加した場合、自身の自由イオン、不純物イオンとイオン性物質を通過させ、不純物と二、三フォノンが共鳴して放射を発し、有機と無機分子を結びつけてリンケージしたイオン同士が極性振動し、比較的強い放射線ブロードバンドを形成する。マイナスイオン粉テストにより、遠紅外線の発射率は９０%以上となる。
【００１８】
マイナスイオン粉の遠紅外線の機能が人体に及ぼすケア及びその他作用は主に以下のとおりである。
遠紅外線は加速水分子運動し、普通水を活性水に変化させ、更に水の浸透力、拡散力、融解力、代謝力を強め、水保護膜を発する。
遠紅外線は循環系統に対し、毛細血管を拡張し、血液循環を増強し、新陳代謝を促進し、リンパ循環を高める作用を起こす。
遠紅外線は細胞組織に対し、細胞を活性化し、老死した細胞を排泄したり再生能力を与え、細胞エネルギーを高め、細胞の機能と活力等を高める作用を起こす。
【００１９】
本考案のリム１０及びテンプル１２の中には、高分子マイナスイオン材が含まれる他、更に豊富な電気石粉末を含む。電気石粉末は、電気石の原石から不純物を取り除いた後、機械で粉砕して粉体にし、加工精製した電気石粉末体は比較的高いマイナスイオン発生量と遠紅外線発射率を備える。電気石はトルマリンとも言う。電気石(tourmaline) の学式はNaR３Al６Si６O１８BO３３(OH,F)４であり、結晶体は三方晶系の一族環状構造のケイ酸塩鉱物の総称であり、化学式の中のRは金屬陽イオンを表し、RがFe２+である時、黒色結晶の電気石を構成する。また電気石粉末が発射する遠紅外線は、生物分子の活性を起動し、生物体の分子箇所を比較的高振動状態にして血液循環を促進及び改善し、代謝を増強し、免疫機能を向上し、漢方医学の火気を下げて腫れを鎮め、自律神経系統を調節して平衡を保ち、血圧を下げ、血液内のゴミや有害物質を殺菌して排除し、赤血球数を増やし、アレルギ体質を改善し、免疫力増強の効果を高める。
【００２０】
本考案のレンズ１１は、抗UV層１１１、抗ブルーライト層１１２及び曇り防止層１１３の設置によって、電子製品及びLED光線から放出されるブルーライトに依る傷害を有効に下げる。本考案のレンズ１１は紫外線及びブルーライトのフィルター効果が６０％以上に達し、そのリム１０、レンズ１１及びテンプル１２からはマイナスイオンが放出されることで、眼精周囲の血液循環と新陳代謝を促進し、眼精疾病問題を改善し予防する。更に眼精疲労を癒やし、眼精周囲の酸素供給を高める。該リム１０及びテンプル１２のマイナスイオン放出量は普通材料の１００倍であり、マイナスイオンは人体の健康に有益であり、且つ本考案ではリム１０、レンズ１１及びテンプル１２の中にマイナスイオン成分が含有されることで、使用者がメガネ１を掛けると同時に、光学効果を達成する他に更にマイナスイオンを放出し、更に眼精を保護する効果を達成する。
【００２１】
上述のとおり、本考案は、確実に予定の使用目的及び効果を達成し、且つ公知よりも理想的、実用的である。但し、上述実施例は、本考案の良好な実施例に対して具体的に説明したにすぎず、当実施例は本考案の請求範囲を限定するものではない。その他、本考案が提示する技術手段の下、完成した同等の変化及び修飾は、すべて本考案の請求項に含まれる。
【符号の説明】
【００２２】
１        メガネ
１０        リム
１１        レンズ
１１０        基板
１１１        抗UV層
１１２        抗ブルーライト層
１１３        曇り防止層
１１４        反射防止層
１１５        マイナスイオン層
１２        テンプル
【図１】
0003216680.tif 000003
【図２】
0003216680.tif 000004
【図３】
0003216680.tif 000005